(57)【要約】【課題】住宅等の居室内を照明する照明器具において、外観を損なうことなく且つ照明空間の雰囲気を変えることなく照明空間にいる害虫を捕虫する捕虫機能を付加する。【解決手段】シーリングライト１は、天井に取付けて使用される照明器具であり、光源である蛍光灯３と、蛍光灯３からの光を透過させる透光部材であるグローブ４と、蛍光灯３からの光に誘引される虫を捕獲する捕虫部品５とを具備する。捕虫部品５は、シーリングライト１の天井への取付面２１側に設けられており、捕虫部品５を透過する光の誘虫性は、グローブ４を透過する光の誘虫性よりも高くなっている。シーリングライト１の近傍を飛来する虫は、グローブ４を透過する光よりも捕虫部品５を透過する光に誘引されて、捕虫部品５に引き寄せられる。捕虫部品５に引き寄せられた虫は、捕虫部品５の開口部５１から捕虫部品５内に侵入することにより、捕虫部品５内に捕獲される。【選択図】図１
2005100809.tif 000002
【特許請求の範囲】
【請求項１】
光源と、前記光源からの光を透過させる透光部材と、前記光源からの光に誘引される虫が侵入する開口部を有する捕虫部品とを具備する照明器具であって、
前記捕虫部品は、前記透光部材を透過する光の誘虫性よりも該捕虫部品を透過する光の誘虫性の方が高く、当該照明器具の取付面側に設けられていることを特徴とする照明器具。
【請求項２】
前記捕虫部品の光学特性は、波長が２５０［ｎｍ］から４１０［ｎｍ］までの間の平均透過率が、前記透光部材の平均透過率よりも高いことを特徴とする請求項１に記載の照明器具。
【請求項３】
前記捕虫部品は、前記開口部を有する袋状の構造であり、前記開口部が当該照明器具の外側を向いていることを特徴とする請求項１又は請求項２に記載の照明器具。
【請求項４】
前記捕虫部品の少なくとも一部は、波長が２５０［ｎｍ］から４１０［ｎｍ］までの間の光を遮光する部材で被われていることを特徴とする請求項１乃至請求項３の何れかに記載の照明器具。
【請求項５】
前記捕虫部品の開口部は、前記光源から放射され前記捕虫部品の内部を導光して該開口部から放射される光の方向を規制する形状とされていることを特徴とする請求項１乃至請求項４の何れかに記載の照明器具。
【請求項６】
前記捕虫部品の底部は、該捕虫部品の底部に滞留した虫が前記光源から放射される熱で死滅し得るように前記光源の近傍に配置されていることを特徴とする請求項１乃至請求項５の何れかに記載の照明器具。
【請求項７】
前記捕虫部品は、前記開口部以外は虫が通り抜けられず、且つ通気性がある構造であることを特徴とする請求項１乃至請求項６の何れかに記載の照明器具。
【請求項８】
前記捕虫部品は、少なくとも捕獲された虫の滞留する部分が着脱自在な構造であることを特徴とする請求項１乃至請求項７の何れかに記載の照明器具。
【発明の詳細な説明】
【技術分野】
【０００１】
本発明は、照明空間にいる昆虫等の害虫を捕虫する機能を備えた照明器具に関するものである。
【背景技術】
【０００２】
従来から、例えば住宅等の居室内を照明する一般照明器具は、図１２に示すような構成になっている。一般照明器具９０は、居室内を照明するための光を放射する光源９１と、その周囲の一部あるいは全面に配置されたグローブ、パネル、あるいはカバーと称される透光部材９２とで構成されている。透光部材９２は、光源９１の保護、光源９１から放射される光の方向や波長の制御、あるいは装飾のために設けられている。透光部材９２の材料は、アクリル樹脂、スチロール樹脂、ポリカーボネート樹脂、あるいはガラス等が用いられている。
【０００３】
ところで、昆虫は光に誘引される習性を持っている。このため、一般照明器具９０の近傍に昆虫９９が飛来することがあり、照明空間に居る人へ不快感を与えることがある。また、一般照明器具９０の内部に昆虫９０が侵入することがあり、一般照明器具９０内に侵入した昆虫９９が電気部品に悪影響を及ぼして一般照明器具９０の動作に支障を生じたり、一般照明器具９０内に侵入した昆虫９９の死骸が透光部材９２の内面に溜まって一般照明器具９０の見栄えを損なう可能性がある。
【０００４】
そこで、このような光に誘引される習性を持つ昆虫を捕殺する電撃殺虫器や粘着式捕虫器等の器具が知られている。これらの器具は、昆虫を誘引し易い光（波長３６０［ｎｍ］近傍の光）を放射する誘虫光源で昆虫を誘引し、誘虫光源に近づいた昆虫を電撃あるいは粘着紙により捕殺するものである。
【０００５】
また、上記一般照明器具９０は、昆虫９９が侵入する可能性のある部位、例えば、光源９１を保持する照明器具本体９３と透光部材９２とが合わさる部分の隙間９４等を、侵入の可能性のある昆虫９９の大きさよりも狭くすることで昆虫９９の侵入を防いでいる。
【０００６】
また、光源の明かり集まってきた虫をモータ駆動される回転ファンによる吸引力で吸い込んで、捕集袋に捕獲するようにした捕虫機能付照明器具が知られている（例えば、特許文献１参照）。
【特許文献１】特開２００１−１５５５０９号公報
【発明の開示】
【発明が解決しようとする課題】
【０００７】
ところが、上述した電撃殺虫器においては、電撃で昆虫を捕殺する際に“バチバチ”という電撃音が生じたり、電撃で虫の死骸が飛び散ったりするため、一般照明器具と共に使用すると照明空間の雰囲気を損なってしまう。このため、電撃殺虫器は、一般照明器具との併用には適さない。また、上述した粘着式捕虫器においては、誘虫光源が青白い光を放射するため、一般照明器具と共に使用すると照明空間の雰囲気を損なう可能性がある。このため、粘着式捕虫器を一般照明器具と併用するには、誘虫光源の光が見え難いように粘着式捕虫器を配置するか粘着式捕虫器自体を目立ち難い場所に配置して、照明空間の雰囲気を損なわないようにする配慮が必要である。
【０００８】
また、上述した従来の一般照明器具９０においては、透光部材９２の取付が正規の状態でなく照明器具本体９３と透光部材９２との間の隙間９４等が必要以上に空いている場合や、器具温度あるいは雰囲気温度の変化により透光部材９２が膨張収縮して隙間９４等が大きくなった場合は、昆虫９９の侵入が可能になってしてしまう。
【０００９】
また、上述した特許文献１に記載の捕虫機能付照明器具では、ファン及びファンを駆動するためのモータが必要であるため、器具の構造が複雑化すると共に器具の外形が大きくなり、器具の外観や見栄えが損なわれてしまう。
【００１０】
本発明は、上記課題を解決するためになされたものであり、外観を損なうことなく且つ照明空間の雰囲気を変えることなく照明空間にいる害虫を捕虫する捕虫機能を付加すると共に、この捕虫機能により外観や機能を損なう部位へ害虫が侵入するのを低減する照明器具を提供することを目的とする。
【課題を解決するための手段】
【００１１】
上記目的を達成するために請求項１の発明は、光源と、前記光源からの光を透過させる透光部材と、前記光源からの光に誘引される虫が侵入する開口部を有する捕虫部品とを具備する照明器具であって、前記捕虫部品は、前記透光部材を透過する光の誘虫性よりも該捕虫部品を透過する光の誘虫性の方が高く、当該照明器具の取付面側に設けられているものである。
【００１２】
この構成においては、照明器具の取付面側（天井側や壁側等、主に照明する方向と反対側）に捕虫部品が設けられているため、照明器具により主に照明される側からは捕虫部品が見え難く、これにより、照明器具の外観や見栄えが損なわれることがない。また、捕虫部品を透過する光の誘虫性の方が透光部材を透過する光の誘虫性よりも高いため、虫は透光部材を透過する光よりも捕虫部品を透過する光に誘引されて、捕虫部品に引き寄せられる。従って、虫が透光部材に引き寄せられて透光部材の隙間等から照明器具内に侵入することが低減される。捕虫部品に引き寄せられた虫は、捕虫部品の開口部から捕虫部品内に侵入することにより、捕虫部品内に捕獲される。
【００１３】
請求項２の発明は、請求項１に記載の照明器具において、前記捕虫部品の光学特性は、波長が２５０［ｎｍ］から４１０［ｎｍ］までの間の平均透過率が、前記透光部材の平均透過率よりも高いものである。
【００１４】
この構成においては、透光部材よりも捕虫部品の方が、波長が２５０［ｎｍ］から４１０［ｎｍ］までの間の光をより多く透過する。波長が２５０［ｎｍ］から４１０［ｎｍ］までの間の光は、高い誘虫性を持っている。従って、虫は、投光部材を透過する光よりも捕虫部品を透過する光に一層強く誘引され、捕虫部品に一層強く引き寄せられる。
【００１５】
請求項３の発明は、請求項１又は請求項２に記載の照明器具において、前記捕虫部品は、前記開口部を有する袋状の構造であり、前記開口部が当該照明器具の外側を向いているものである。
【００１６】
この構成においては、光源からの光は、捕虫部品の袋状の底部側（開口部と反対側）から開口部側に向かって透過する。従って、捕虫部品の開口部から侵入した虫は、袋状の底部側から開口部側に向う光に誘引されて袋状の底部側に引き寄せられる。袋状の底部側に引き寄せられた虫は、光に誘引されるため開口部に後戻りできず、また、照明器具内に侵入することもできず、袋状の底部に滞留して捕獲される。
【００１７】
請求項４の発明は、請求項１乃至請求項３の何れかに記載の照明器具において、前記捕虫部品の少なくとも一部は、波長が２５０［ｎｍ］から４１０［ｎｍ］までの間の光を遮光する部材で被われているものである。
【００１８】
この構成においては、光源からの光は、捕虫部品の遮光する部材で被われていない部位を透過する。このため、虫は、捕虫部品の遮光する部材で被われていない部位に誘引される。従って、例えば、捕虫部品の開口部と底部（開口部と反対側の末端部）は遮光する部材で被わず、これら以外の部位は遮光する部材で被うことにより、捕虫部品の開口部に集中的に虫を引き寄せることができると共に、開口部から侵入した虫を底部に引き寄せて滞留させることができる。
【００１９】
請求項５の発明は、請求項１乃至請求項４の何れかに記載の照明器具において、前記捕虫部品の開口部は、前記光源から放射され前記捕虫部品の内部を導光して該開口部から放射される光の方向を規制する形状とされているものである。
【００２０】
この構成においては、捕虫部品の開口部からの光の放射方向にいる虫が開口部に誘引される。従って、開口部からの光の放射方向を例えば虫の飛来する可能性の高い方向になるように規制することにより、開口部に効率良く虫を引き寄せることが可能となる。
【００２１】
請求項６の発明は、請求項１乃至請求項５の何れかに記載の照明器具において、前記捕虫部品の底部は、該捕虫部品の底部に滞留した虫が前記光源から放射される熱で死滅し得るように前記光源の近傍に配置されているものである。
【００２２】
この構成においては、捕虫部品の開口部から侵入して捕虫部品の底部に滞留した虫は、光源から放射される熱により死滅される。
【００２３】
請求項７の発明は、請求項１乃至請求項６の何れかに記載の照明器具において、前記捕虫部品は、前記開口部以外は虫が通り抜けられず、且つ通気性がある構造であるものである。
【００２４】
この構成においては、捕虫部品の開口部に掃除機等の吸い込み口を当てて吸引すると、捕虫部品が通気性を有するため、捕虫部品内に溜まった虫の死骸が空気と共に捕虫部品の開口部から掃除機等に吸い取られる。
【００２５】
請求項８の発明は、請求項１乃至請求項７の何れかに記載の照明器具において、前記捕虫部品は、少なくとも捕獲された虫の滞留する部分が着脱自在な構造であるものである。
【００２６】
この構成においては、捕獲された虫の滞留する部分を取外すことにより、捕虫部品に捕獲された虫が除去される。捕獲された虫の滞留する部分は、虫を除去した後に再び装着されるか、又は、新しいものと交換される。
【発明の効果】
【００２７】
請求項１の発明によれば、捕虫部品が照明器具の取付面側に設けられているため、照明器具の外観や照明空間の雰囲気を損なうことなく捕虫機能を付加できる。また、透光部材を透過する光の誘虫性よりも捕虫部品を透過する光の誘虫性の方が高いため、虫は捕虫部品に引き寄せられて捕獲され、これにより、照明器具の外観や機能を損なう部位への虫の侵入を低減できる。
【００２８】
請求項２の発明によれば、捕虫部品の光学特性は、波長が２５０［ｎｍ］から４１０［ｎｍ］までの間の平均透過率が透光部材の平均透過率よりも高いため、虫は捕虫部品に一層強く引き寄せられ、これにより、照明器具の外観や機能を損なう部位への虫の侵入をより確実に低減できると共に、効率良く虫を捕獲することができる。
【００２９】
請求項３の発明によれば、捕虫部品は開口部を有する袋状の構造であり、開口部が照明器具の外側を向いているため、捕虫部品内に虫を閉じ込めて確実に虫を捕獲することができる。
【００３０】
請求項４の発明によれば、捕虫部品の少なくとも一部を波長が２５０［ｎｍ］から４１０［ｎｍ］までの間の光を遮光する部材で被うことにより、効率良く虫を捕獲することが可能となる。
【００３１】
請求項５の発明によれば、捕虫部品の開口部が該開口部から放射される光の方向を規制する形状であるため、効率良く虫を捕獲することが可能となる。
【００３２】
請求項６の発明によれば、捕虫部品の底部は光源の近傍に配置されているため、捕虫部品の開口部から侵入した虫は光源から放射される熱により死滅され、これにより、確実に虫を捕獲することができる。
【００３３】
請求項７の発明によれば、捕虫部品は開口部以外は虫が通り抜けられず且つ通気性があるため、掃除機等を用いて容易に捕虫部品内の虫を除去でき、捕虫部品を簡便に掃除できる。
【００３４】
請求項８の発明によれば、捕虫部品は少なくとも捕獲された虫の滞留する部分が着脱自在であるため、捕獲された虫の滞留する部分を取外して容易に捕虫部品内の虫を除去でき、捕虫部品を簡便に掃除できる。
【発明を実施するための最良の形態】
【００３５】
以下、本発明を具体化した実施形態について図面を参照して説明する。
＜第１の実施形態＞
まず、第１の実施形態について図１（ａ）（ｂ）、図２、及び図３を参照して説明する。シーリングライト１は、住宅等の居室内を照明するものであり、天井に取付けて使用される照明器具である。シーリングライト１は、器具本体２と、光源である蛍光灯３と、透光部材であるグローブ４と、３個の捕虫部品５とを備えており、器具本体２の上面部分が天井への取付面２１とされて天井に取付けられる。
【００３６】
器具本体２は、蛍光灯３の点灯、消灯等を制御する制御部（不図示）を格納しており、また、蛍光灯３及びグローブ４を支持している。蛍光灯３は、照明するための光を放射するものであり、器具本体２により支持されて、器具本体２の下方に配置されている。従って、シーリングライト１は、取付面２１側（すなわち天井側）と反対側を蛍光灯３からの光により主に照明する。グローブ４は、蛍光灯３からの光を透過させるものであり、蛍光灯３の保護、蛍光灯３から放射される光の方向や波長の制御、及び装飾のために設けられている。このグローブ４は、蛍光灯３の周囲を覆うように器具本体２に着脱自在に取付けられている。
【００３７】
捕虫部品５は、昆虫等の害虫を誘引して捕獲するものであり、グローブ４の上面側（すなわちシーリングライト１の取付面２１側）の３箇所に設けられた差込穴（不図示）に差込まれて、グローブ４に取付けられている。この捕虫部品５は、透光性を有しており、蛍光灯３からの光を透過するようになっている。
【００３８】
捕虫部品５は、図２に示すような構成になっており、昆虫が侵入する開口部５１を有し、開口部５１と反対側の末端部（底部）が封鎖された略円筒形状の袋状の構造をしている。捕虫部品５の寸法は、長さが略６０［ｍｍ］、外径が１０［ｍｍ］に設計されている。また、捕虫部品５は、開口部５１の周囲にフランジ５２が形成されている。フランジ５２の外径は、１４［ｍｍ］に設計されている。また、捕虫部品５の内部には、侵入した昆虫の退路を制限することにより、捕獲した昆虫が開口部５１から脱出するのを防止する退路制限具６０が配置されている。
【００３９】
退路制限具６０は、図３に示すような構成になっており、円環状のリング部材６１と、リング部材６１に繋がった複数のガイド片６２とを有している。退路制限具６０の口径は、各ガイド片６２の先端側がリング部材６１の中心に向かって傾斜していることにより、ガイド片６２の先端側に向かって漸次小さくなっている。退路制限具６０の寸法は、リング部材６１の外径が８［ｍｍ］、リング部材６１の口径（ガイド片６２の基端側の口径）が６［ｍｍ］、リング部材６１の幅が１．５［ｍｍ］、ガイド片６２の先端側の口径が略４［ｍｍ］に設計されている。また、各ガイド片６２は、昆虫がリング状部材６１からガイド片６２の先端側に向かって容易に通り抜けることができるように、柔軟性を持つ肉厚に設計されている。
【００４０】
このような構成の捕虫部品５は、グローブ４の差込穴（不図示）にグローブ４の外側から蛍光灯３に向かって斜め方向に差込まれて、グローブ４に取付けられている（図１（ａ）（ｂ）参照）。捕虫部品５をグローブ４に取付けた状態では、フランジ５２がグローブ４の上部に露出して、開口部５１がグローブ４の上方（すなわちシーリングライト１の外側）に向けられる。また、捕虫部品５の底部は、捕虫部品５の底部（開口部５１と反対側の末端部）に滞留した虫が蛍光灯３から放射される熱で死滅し得るように、蛍光灯３の近傍に配置される。捕虫部品５は、フランジ５２の外径が差込穴の径よりも大きく形成されており、フランジ５２が差込穴の周囲に係止されてグローブ４に保持されている。また、捕虫部品５は、フランジ５２を摘んで引張ることにより、グローブ４から取外せるようになっている。
【００４１】
また、捕虫部品５をグローブ４に取付けた状態では、蛍光灯３からの光は、捕虫部品５を透過して開口部５１から放射されると共に、捕虫部品５の構成部材内を導光してフランジ５２から放射される。フランジ５２は、フランジ５２から放射される光の方向を昆虫の飛来する可能性の高い方向に規制する形状になっており、フランジ５２からは、略水平方向に広範囲に亘って光が放射されるようになっている。
【００４２】
ところで、一般に、昆虫は光に誘引される習性を持っている。上記捕虫部品５は、グローブ４を透過する光よりも誘虫性の高い光を透過するようになっており、これにより、シーリングライト１の近傍に飛来する昆虫を捕虫部品５に引き寄せて捕獲するようにしている。
【００４３】
次に、上記グローブ４及び捕虫部品５の材質及び光学特性について説明する。グローブ４及び捕虫部品５の材質及び光学特性は、表１に示すようになっている。
【表１】
2005100809.tif 000003
【００４４】
グローブ４は、アクリル樹脂で成形されており、波長が２５０［ｎｍ］から４１０［ｎｍ］までの間の平均透過率が５％である。一方、捕虫部品５は、ポリエチレン樹脂で成形されており、波長が２５０［ｎｍ］から４１０［ｎｍ］までの間の光の平均透過率が６０％である。このように、捕虫部品５の光学特性は、波長が２５０［ｎｍ］から４１０［ｎｍ］までの間の光の平均透過率が、グローブ４の平均透過率よりも高くなっている。なお、退路制限具６０は、捕虫部品５と同じポリエチレン樹脂で成形されており、波長が２５０［ｎｍ］から４１０［ｎｍ］までの間の光の平均透過率が６０％程度になっている。
【００４５】
昆虫が光に誘引される誘虫性は、光の波長と相関があり、２５０［ｎｍ］から４１０［ｎｍ］までの波長の光が誘虫性に大きく関与している。２５０［ｎｍ］から４１０［ｎｍ］までの波長の光の放射が多いと誘虫性は高くなり、逆に、２５０［ｎｍ］から４１０［ｎｍ］までの波長の光の放射が少ないと誘虫性は低くなる。
【００４６】
上述のように、捕虫部品５の光学特性は、波長が２５０［ｎｍ］から４１０［ｎｍ］までの間の光の平均透過率が、グローブ４の平均透過率よりも高くなっている。従って、２５０［ｎｍ］から４１０［ｎｍ］までの波長の光は、グローブ４よりも捕虫部品５から多く放射されることになり、捕虫部品５を透過する光の誘虫性の方が、グローブ４を透過する光の誘虫性よりも高くなっている。
【００４７】
このような構成により、シーリングライト１の近傍を飛来する昆虫は、グローブ４を透過する光よりも捕虫部品５を透過する光に誘引されて、捕虫部品５の開口部５１に引き寄せられる。このとき、捕虫部品５を透過する光は捕虫部品５のフランジ５２から略水平方向にも放射されるため、グローブ４の上面付近に飛来した虫も、その後、フランジ５２から略水平方向に放射される光により捕虫部品５の開口部５１に引き寄せられる。
【００４８】
捕虫部品５を透過する光は、捕虫部品５の底部側（すなわち蛍光灯３の位置する側）から開口部５１に向かって放射されるため、開口部５１に引き寄せられた昆虫は、その光に誘引されて捕虫部品５の開口部５１から捕虫部品５内に侵入し捕虫部品５の底部側へと進んでゆく。そして、昆虫は、退路制限具６０を通り抜けて捕虫部品５の底部に至り、捕虫部品５の底部に捕獲される。捕虫部品５の底部に捕獲された虫は、捕虫部品５の底部側から開口部５１側に向かって放射される光に誘引されるため捕虫部品５の底部に滞留し、また、シーリングライト１の消燈後も退路制限具６０のために脱出できず、やがて蛍光灯３から放射される熱で死滅する。
【００４９】
捕虫部品５で捕獲された昆虫の死骸は、捕虫部品５をグローブ４から取外して除去される。このとき、捕虫部品５は、昆虫の死骸を除去して掃除した後に再びグローブ４に取付けられるか、又は、昆虫の死骸が溜まったものをそのまま捨てて新しいものと交換してグローブ４に取付けられる。
【００５０】
このような構成のシーリングライト１によれば、シーリングライト１の取付面２１側（主に照明する方向と反対側）に捕虫部品５が設けられているため、シーリングライト１により主に照明される側からは捕虫部品５が見え難く、シーリングライト１の外観や照明空間の雰囲気を損なうことなく捕虫機能を付加できる。しかも、昆虫は捕虫部品５に引き寄せられて捕虫部品５に捕獲されるため、シーリングライト１の外観や機能を損なう部位への昆虫の侵入を低減でき、シーリングライト１内に昆虫が侵入することによる動作の支障を生じることがなく、グローブ４の内面に昆虫の死骸が溜まってシーリングライトの外観を損なうこともない。
【００５１】
また、捕虫部品５の内部に退路制限具６０が設けられているため、昆虫の脱出を困難なものとし、昆虫を確実に捕獲することができる。また、捕虫部品５で捕獲された昆虫の死骸は、捕虫部品５をグローブ４から取外して容易に除去でき、捕虫部品５を簡便に掃除することができる。
【００５２】
＜第２の実施形態＞
次に、第２の実施形態について図４（ａ）（ｂ）、及び図５（ａ）（ｂ）を参照して説明する。シーリングライト１は、上記第１の実施形態と同様に、住宅等の居室内を照明するものであり、天井に取付けて使用される照明器具である。このシーリングライト１は、器具本体２と、光源である２本の蛍光灯３と、透光部材であるグローブ４と、２個の捕虫部品５とを備えており、上記第１の実施形態と同様に、器具本体２の上面部分が天井への取付面２１とされて天井に取付けられ、取付面２１側（すなわち天井側）と反対側を主に照明する。
【００５３】
本実施形態では、捕虫部品５は、器具本体２の上面側（すなわちシーリングライト１の取付面２１側）の２箇所に設けられた差込穴（不図示）に差込まれている。また、本実施形態では、捕虫部品５の構造が上記第１の実施形態と異なっている。さらに、本実施形態では、グローブ４及び捕虫部品５の材質及び光学特性が上記第１の実施形態と異なっている。本実施形態における他の構成については、上記第１の実施形態と同様である。
【００５４】
捕虫部品５は、図５（ａ）（ｂ）に示すような構成になっており、昆虫が侵入する開口部５１を有し、途中で屈曲した略円筒形状の袋状の構造をしている。捕虫部品５の寸法は、全長が略１７０［ｍｍ］、開口部５１から屈曲箇所までの長さが略９０［ｍｍ］、屈曲箇所から開口部５１と反対側の末端部（底部）までの長さが略８０［ｍｍ］、外径が１６［ｍｍ］に設計されている。また、捕虫部品５は、上記第１の実施形態と同様に、開口部５１の周囲にフランジ５２が形成されており、内部には退路制限具６０が配置されている。フランジ５２の外径は、２２［ｍｍ］に設計されている。退路制限具６０は、第１の実施形態と同様の構成である。
【００５５】
また、捕虫部品５は、開口部５１のフランジ５２を除く部分から屈曲箇所を経て末端側の途中までのエリアが、波長が２５０［ｎｍ］から４１０［ｎｍ］までの間の光を遮光する遮光材５３で被われている。遮光材５３で被う方法は、アルミ蒸着を施す、黒色塗料を塗装する、アルミ箔を巻き付ける等があり、本実施形態では、捕虫部品５の表面にアルミ蒸着を施している。アルミ蒸着による遮光材５３は、捕虫部品５の屈曲箇所から末端側へ３５［ｍｍ］の地点まで施されている。また、捕虫部品５は、開口部５１と反対側の末端部（底部）に開口５４を形成し、その開口５４に通気性を有するメッシュ５５を配置することにより、通気性を有する構造とされている。メッシュ５５の孔の大きさは、昆虫が通り抜けられないように、略０．３［ｍｍ］としている。
【００５６】
このような構成の捕虫部品５は、捕虫部品５の屈曲箇所から末端側が器具本体２の差込穴（不図示）に器具本体２の外側から略鉛直下向きに蛍光灯３の内側に差込まれて、器具本体２に取付けられている（図４（ａ）（ｂ）参照）。捕虫部品５を器具本体２に取付けた状態では、捕虫部品５の屈曲箇所から開口部５１側が器具本体２の上部に露出されて略水平に配置され、開口部５１が器具本体２の外周方向（すなわちシーリングライト１の外側）に向けられる。捕虫部品５のフランジ５２を除く部分から屈曲箇所を経て末端側の途中までのエリアは、遮光材５３で被われているため、捕虫部品５の器具本体２から上部に露出される部分は、フランジ５２以外は遮光材５３で被われている。捕虫部品５の底部は、滞留した虫が蛍光灯３から放射される熱で死滅し得るように蛍光灯３の近傍に配置される。また、捕虫部品５は、屈曲箇所から開口部５１側（器具本体２から露出している箇所）を摘んで引張ることにより、器具本体２から取外せるようになっている。
【００５７】
また、捕虫部品５を器具本体２に取付けた状態では、蛍光灯３からの光は、捕虫部品５を透過して放射される。このとき、捕虫部品５の器具本体２から上部に露出している部分は、フランジ５２以外は遮光材５３で被われているため、蛍光灯３からの光は、遮光材５３で被われている箇所からは放射されず、開口部５１及びフランジ５２からのみ放射される。フランジ５２は、フランジ５２から放射される光の方向を昆虫の飛来する可能性の高い方向に規制する形状になっており、フランジ５２からは、略水平方向に広範囲に亘って光が放射されるようになっている。
【００５８】
次に、上記グローブ４及び捕虫部品５の材質及び光学特性について説明する。グローブ４及び捕虫部品５の材質及び光学特性は、表２に示すようになっている。
【表２】
2005100809.tif 000004
【００５９】
グローブ４は、アクリル樹脂で成形されており、波長が２５０［ｎｍ］から４１０［ｎｍ］までの間の光の平均透過率が２％である。一方、捕虫部品５は、ポリプロピレン樹脂で成形されており、波長が２５０［ｎｍ］から４１０［ｎｍ］までの間の光の平均透過率が７２％である。このように、捕虫部品５の光学特性は、波長が２５０［ｎｍ］から４１０［ｎｍ］までの間の光の平均透過率が、グローブ４の平均透過率よりも高くなっている。なお、退路制限具６０は、捕虫部品５と同じポリプロピレン樹脂で成形されており、波長が２５０［ｎｍ］から４１０［ｎｍ］までの間の平均透過率が７２％程度になっている。
【００６０】
このような構成により、２５０［ｎｍ］から４１０［ｎｍ］までの波長の光は、グローブ４よりも捕虫部品５から多く放射されることになり、捕虫部品５を透過する光の誘虫性の方が、グローブ４を透過する光の誘虫性よりも高くなっている。従って、シーリングライト１の近傍を飛来する昆虫は、グローブ４を透過する光よりも捕虫部品５を透過する光に誘引される。このとき、捕虫部品５を透過した光は、上述のように開口部５１及びフランジ５２からのみ放射されるため、シーリングライト１の近傍を飛来する昆虫は、捕虫部品５の開口部５１に集中的に引き寄せられる。
【００６１】
そして、捕虫部品５に引き寄せられた虫は、上記第１の実施形態と同様に、捕虫部品５の底部に捕獲され、捕虫部品５の底部に滞留して脱出できず、やがて蛍光灯３から放射される熱で死滅する。
【００６２】
捕虫部品５に捕獲された昆虫の死骸は、例えば、捕虫部品５を器具本体２に取付けたまま、捕虫部品５の開口部５１に掃除機等の吸い込み口を当てて吸引することにより除去される。掃除機等の吸い込み口を開口部５１に当てて吸引すると、捕虫部品５の底部のメッシュ５５が通気性を有するため、捕虫部品５内に溜まった虫の死骸が空気と共に開口部５１から掃除機等に吸い取られる。なお、捕虫部品５に捕獲された昆虫の死骸は、捕虫部品５を器具本体２から取外して除去してもよい。
【００６３】
このような構成のシーリングライト１によれば、上記第１の実施形態と同様の作用、効果が得られる。また、このような構成のシーリングライト１によれば、シーリングライト１の近傍を飛来する昆虫は捕虫部品５の開口部５１に集中的に引き寄せられるため、効率よく昆虫を捕獲することができる。また、捕虫部品５に捕獲された昆虫は、捕虫部品５を器具本体２から取外すことなく、掃除機等を用いて簡便に除去することができる。
【００６４】
＜第３の実施形態＞
次に、第３の実施形態について図６（ａ）（ｂ）、及び図７を参照して説明する。ペンダントライト１は、住宅等の居室内を照明するものであり、天井に取付けて使用される照明器具である。このペンダントライト１は、器具本体２と、光源である蛍光灯３と、透光部材であるパネル４と、４個の捕虫部品５とを備えており、器具本体２の上面部分が天井への取付面２１とされて吊下げ具（図示省略）により天井に吊下げられる。
【００６５】
器具本体２は、蛍光灯３の点灯、消灯等を制御する制御部（不図示）を格納しており、また、蛍光灯３及びパネル４を支持している。蛍光灯３は、住宅等の居室内を照明するための光を放射するものであり、器具本体２により支持されて、器具本体２の下方に配置されている。従って、ペンダントライト１は、取付面２１側（すなわち天井側）と反対側を蛍光灯３からの光により主に照明する。パネル４は、上記第１及び第２の実施形態におけるグローブと同様に、蛍光灯３からの光を透過させるものであり、蛍光灯３の保護、蛍光灯３から放射される光の方向や波長の制御、及び装飾のために設けられている。このパネル４は、下側が開放されている。
【００６６】
捕虫部品５は、パネル４の天板４５（すなわちペンダントライト１の取付面２１側）の４箇所に設けられた差込穴（不図示）に差込まれている。捕虫部品５は、図７に示すような構成になっており、昆虫が侵入する開口部５１を有し、開口部５１と反対側の末端部（底部）が封鎖された略円筒形状の袋状の構造をしている。また、捕虫部品５は、末端部側の昆虫滞留部５６が着脱できる嵌合構造になっている。また、捕虫部品５は、上記第１の実施形態と同様に、開口部５１の周囲にフランジ５２が形成されており、内部には退路制限具６０が配置されている。退路制限具６０は、第１の実施形態と同様の構成である。
【００６７】
このような構成の捕虫部品５は、パネル４の天板部４５の差込穴（不図示）に天板部４５の外側から鉛直下向きに蛍光灯３の内側に差込まれて、天板部４５に取付けられている（図６（ａ）（ｂ）参照）。捕虫部品５を天板部４５に取付けた状態では、フランジ５２が天板部４５の上部に露出して、開口部５１が天板部４５の上方（すなわちペンダントライト１の外側）に向けられる。捕虫部品５の底部は、滞留した虫が蛍光灯３から放射される熱で死滅し得るように蛍光灯３の近傍に配置される。捕虫部品５は、フランジ５２の外径が差込穴の径よりも大きく形成されており、フランジ５２が差込穴の周囲に係止されて天板部４５に保持されている。また、捕虫部品５は、フランジ５２を摘んで引張ることにより、天板部４５から取外せるようになっている。
【００６８】
また、捕虫部品５を天板部４５に取付けた状態では、蛍光灯３からの光は、開口部５１及びフランジ５２から放射される。フランジ５２は、フランジ５２から放射される光の方向を昆虫の飛来する可能性の高い方向に規制する形状になっており、フランジ５２からは、略水平方向に広範囲に亘って光が放射されるようになっている。
【００６９】
次に、上記パネル４及び捕虫部品５の材質及び光学特性について説明する。パネル４及び捕虫部品５の材質及び光学特性は、表３に示すようになっている。
【表３】
2005100809.tif 000005
【００７０】
パネル４は、アクリル樹脂で成形されており、波長が２５０［ｎｍ］から４１０［ｎｍ］までの間の光の平均透過率が２％である。一方、捕虫部品５は、ポリプロピレン樹脂に白色顔料を添加した材料で成形されており、波長が２５０［ｎｍ］から４１０［ｎｍ］までの間の光の平均透過率が５３％である。このように、捕虫部品５の光学特性は、波長が２５０［ｎｍ］から４１０［ｎｍ］までの間の光の平均透過率が、パネル４の平均透過率よりも高くなっている。
【００７１】
なお、捕虫部品５は、ポリプロピレン樹脂に白色顔料を添加した材料で成形することにより白色とされ、捕虫部品５の内部が透けて見えないようにされている。白色顔料は、紫外線吸収性能が低いシリコンパウダー、ガラスパウダー等を用いることができ、本実施形態では、シリコンパウダーをポリプロピレン樹脂に対して１０ｗｔ％添加している。また、退路制限具６０は、捕虫部品５と同じポリプロピレン樹脂で成形されており、波長が２５０［ｎｍ］から４１０［ｎｍ］までの間の光の平均透過率が５３％程度になっている。
【００７２】
このような構成により、２５０［ｎｍ］から４１０［ｎｍ］までの波長の光は、パネル４よりも捕虫部品５から多く放射されることになり、捕虫部品５を透過する光の誘虫性の方が、パネル４を透過する光の誘虫性よりも高くなっている。従って、ペンダントライト１の近傍を飛来する昆虫は、パネル４を透過する光よりも捕虫部品５を透過する光に誘引される。そして、捕虫部品５に引き寄せられた虫は、上記第１の実施形態と同様に、捕虫部品５の底部に捕獲され、捕虫部品５の底部に滞留して脱出できず、やがて蛍光灯３から放射される熱で死滅する。
【００７３】
捕虫部品５に捕獲された昆虫の死骸は、例えば、捕虫部品５を器具本体２に取付けたまま、捕虫部品５の昆虫滞留部５６を取外すことにより除去される。このとき、捕虫部品５の昆虫滞留部５６は、昆虫の死骸を除去して掃除した後に再び捕虫部品５に取付けられるか、又は、昆虫の死骸が溜まったものをそのまま捨てて新しいものと交換して捕虫部品５に取付けられる。なお、捕虫部品５に捕獲された昆虫の死骸は、捕虫部品５を天板部４５２から取外して除去してもよい。
【００７４】
このような構成のペンダントライト１によれば、上記第１の実施形態と同様の作用、効果が得られる。また、このような構成のペンダントライト１によれば、捕虫部品５に捕獲された昆虫は、捕虫部品５を器具本体２から取外すことなく、捕虫部品５の昆虫滞留部５６を取外すことにより簡便に除去できる。また、パネル４は下側が開放されているためパネル４の下方側から捕虫部品５が見えるが、捕虫部品５は白色で内部が透けて見えないため、パネル４の下方側からは捕虫部品５に捕獲された昆虫が見えず、ペンダントライト１の外観や照明空間の雰囲気を損なうことがない。
【００７５】
＜第４の実施形態＞
次に、第４の実施形態について図８を参照して説明する。本実施形態では、捕虫部品５の構成が上記第３の実施形態構成と異なっている。本実施形態の捕虫部品５は、上記第３の実施形態における退路制限具に代えて、捕虫部品５の内側に粘着材７１を塗布した構成となっている。粘着材７１としては、ブチルゴム系粘着材、アクリル樹脂系粘着材等が使用可能である。本実施形態における他の構成については、上記第３の実施形態と同様である。
【００７６】
このような構成の捕虫部品５では、捕虫部品５の開口部５１から侵入した昆虫は、捕虫部品５の内側に塗布された粘着材７１に粘着され、捕虫部品５からの脱出が困難となる。なお、捕虫部品５の内側に粘着材７１を塗布する構成は、上記第１又は第２の実施形態における捕虫部品に適用することも可能である。
【００７７】
従って、このような構成によれば、上記第１乃至第３の実施形態と同様に、捕虫部品５内に侵入した昆虫の脱出を困難なものとし、確実に昆虫を捕獲することができる。
【００７８】
＜第５の実施形態＞
次に、第５の実施形態について図９を参照して説明する。本実施形態では、捕虫部品５の構成が上記第３の実施形態と異なっている。本実施形態の捕虫部品５は、上記第３の実施形態における退路制限具に代えて、捕虫部品５の内部に粘性液体７２を充填した構成となっている。粘性液体７２としては、シリコンオイル、サラダオイル等の揮発性の低い液体が適している。本実施形態における他の構成については、上記第３の実施形態と同様である。
【００７９】
このような構成の捕虫部品５では、捕虫部品５の開口部５１から侵入した昆虫は、捕虫部品５の内部に充填された粘性液体７２に沈み込んで、捕虫部品５からの脱出が困難となる。なお、捕虫部品５の内部に粘性液体７２を充填する構成は、上記第１の実施形態における捕虫部品に適用することも可能である。
【００８０】
従って、このような構成によれば、上記第１又は第３の実施形態と同様に、捕虫部品５内に侵入した昆虫の脱出を困難なものとし、確実に昆虫を捕獲することができる。
【００８１】
＜第６の実施形態＞
次に、第６の実施形態について図１０（ａ）（ｂ）を参照して説明する。本実施形態では、捕虫部品５の構成が上記第２の実施形態と異なっている。本実施形態の捕虫部品５は、上記第２の実施形態におけるメッシュによる通気性構造に代えて、開口部５１と反対側の末端部（底部）に通気口５７を形成し、その通気口５７の内側に開閉弁５８を設けることにより、通気性を有する構造としている。本実施形態における他の構成については、上記第３の実施形態と同様である。
【００８２】
開閉弁５８は、捕虫部品５と同じポリプロピレン樹脂により成形されており、融着材８０を用いて熱融着により捕虫部品５に接着されている。開閉弁５８は、弾力性を有し、通常状態では通気口５７を塞ぐように閉じとおり、外力を受けると接着箇所を支点に湾曲して開くようになっている。
【００８３】
このような構成の捕虫部品５では、捕虫部品５の開口部５１に掃除機等の吸い込み口を当てて吸引すると、捕虫部品５の内部が負圧となり、その圧力によって開閉弁５８が開き、捕虫部品５内に溜まった昆虫の死骸が空気と共に開口部５１から掃除機等に吸い取られる。
【００８４】
従って、このような構成によれば、上記第２の実施形態と同様に、捕虫部品５に捕獲された昆虫を掃除機等を用いて簡便に除去することができる。
【００８５】
＜第７の実施形態＞
次に、第７の実施形態について図１１（ａ）（ｂ）を参照して説明する。本実施形態では、捕虫部品５の構成が上記第３の実施形態と異なっている。本実施形態の捕虫部品５は、糸状部材から成る複数の退路制限具６５を有している。各退路制限具６５は、ナイロン、ポリエチレン等の糸状部材を用いることができ、本実施形態では、市販の釣り糸用のテグスを用いている。本実施形態における他の構成については、上記第３の実施形態と同様である。
【００８６】
退路制限具６５を捕虫部品５に設ける方法は、まず、捕虫部品５に退路制限具６５の直径とほぼ同じ直径の穴５９を開ける。この穴５９は、捕虫部品５の開口部５１側から底部側に傾けて開ける。次に、退路制限具６５を穴５９に差込み、退路制限具６５が抜けないように必要に応じて熱融着又は接着材等で固定する。退路制限具６５の長さは、退路制限具６５の先端が捕虫部品５の中心に位置する程度とする。
【００８７】
このような構成の捕虫部品５では、捕虫部品５の開口部５１から侵入した昆虫は、一旦退路制限具６５を通り抜けると、退路制限具６５のために捕虫部品５からの脱出が困難となる。なお、退路制限具６５は、上記第１又は第２の実施形態における捕虫部品に適用することも可能である。
【００８８】
従って、このような構成によれば、上記第１乃至第３の実施形態と同様に、捕虫部品５内に侵入した昆虫の脱出を困難なものとし、確実に昆虫を捕獲することができる。
【００８９】
なお、本発明は、上記各実施形態の構成に限られず、種々の変形が可能である。例えば、上記各実施形態において、透光部材であるグローブ又はパネルは、アクリル樹脂に限らず、スチロール樹脂、ポリカーボネート樹脂、ガラス等により成形したものであってもよい。また、捕虫部品５は、少なくとも捕獲された虫の滞留する部分が着脱自在であればよく、従って、捕虫部品５の一部が捕虫部品５の全体から着脱自在であってもよいし、捕虫部品の全体がシーリングライト又はペンダントライトから着脱自在であってもよい。また、本発明は、天井に取付けるシーリングライトや天井に吊下げるペンダントライトに限らず、壁等に取付けるタイプの照明器具にも適用できるものであり、さらに、屋外で使用する照明器具にも適用できるものである。
【図面の簡単な説明】
【００９０】
【図１】（ａ）は本発明の一実施形態に係るシーリングライトの概略構成を示す平面図、（ｂ）は同一部破断した側面図。
【図２】同シーリングライトの捕虫部品の構成を示す断面図。
【図３】同捕虫部品の内部に配置される退路制限具の構成を示す側面図。
【図４】（ａ）は本発明の別の実施形態に係るシーリングライトの概略構成を示す平面図、（ｂ）は同一部破断した側面図。
【図５】（ａ）は同シーリングライトの捕虫部品の構成を示す一部破断した側面図、（ｂ）は同捕虫部品の通気性構造を示す部分拡大図。
【図６】（ａ）は本発明のさらに別の実施形態に係るペンダントライトの概略構成を示す平面図、（ｂ）は同一部破断した側面図。
【図７】同ペンダントライトの捕虫部品の構成を示す断面図。
【図８】本発明のさらに別の実施形態に係る捕虫部品の構成を示す断面図。
【図９】本発明のさらに別の実施形態に係る捕虫部品の構成を示す断面図。
【図１０】（ａ）は本発明のさらに別の実施形態に係る捕虫部品の構成を示す一部破断した側面図、（ｂ）は同捕虫部品の通気性構造を示す部分拡大図。
【図１１】（ａ）は本発明のさらに別の実施形態に係る捕虫部品の構成を示す断面図、（ｂ）は同捕虫部品の退路制限具の構成を示す部分拡大図。
【図１２】従来の照明器具の概略構成を示す一部破断した側面図。
【符号の説明】
【００９１】
１    シーリングライト、ペンダントライト（照明器具）
２    器具本体
３    蛍光灯（光源）
４    グローブ、パネル（透光部材）
５    捕虫部品
２１  取付面
５１  開口部
５２  フランジ
５３  遮光材
５４  開口
５５  メッシュ
５６  昆虫滞留部
５７  通気口
５８  開閉弁
６０、６５  退路制限具
７１  粘着材
７２  粘性液体
【図１】
2005100809.tif 000006
【図２】
2005100809.tif 000007
【図３】
2005100809.tif 000008
【図４】
2005100809.tif 000009
【図５】
2005100809.tif 000010
【図６】
2005100809.tif 000011
【図７】
2005100809.tif 000012
【図８】
2005100809.tif 000013
【図９】
2005100809.tif 000014
【図１０】
2005100809.tif 000015
【図１１】
2005100809.tif 000016
【図１２】
2005100809.tif 000017